(57)【要約】【課題】文字と図の混在する画像を受信側のニーズに応じた方法で携帯端末へ送信できる画像送信装置を提供する。【解決手段】画像形成装置１０は送信対象の画像が文字部と図部の混在画像でありかつその送信先が携帯端末５０である場合は、文字部の概要を文字コードで表した概要情報と、文字部分のみ送信するか文字と図の双方を送信するか図のみを送信するかといった送信方法の選択肢のリストとを含む案内通知を作成して携帯端末へ送信し（Ｐ１，Ｐ２）、この案内通知に対する返信を携帯端末から受信すると（Ｐ３、Ｐ４）、該返信で指定された選択肢に対応する送信方法で画像を携帯端末へ送信する（Ｐ５、Ｐ６）。【選択図】図１
2009273076.tif 000002
【特許請求の範囲】
【請求項１】
送信対象の画像を入力する画像入力部と、
前記画像入力部から入力された画像の送信先を入力する宛先入力部と、
通信部と、
制御部と、
を備え、
前記制御部は、前記画像入力部から入力した画像が文字部と図部の混在する画像でありかつその送信先が携帯端末である場合は、前記文字部の概要を文字コードで表した概要情報と送信方法の選択肢とを含む案内通知を作成して前記携帯端末へ送信し、前記案内通知に対する返信を前記携帯端末から受信すると、該返信で指定された選択肢に対応する送信方法で前記画像を前記携帯端末へ送信する
ことを特徴とする画像送信装置。
【請求項２】
前記送信方法の選択肢として、（１）文字部のみを送信する、（２）図部のみを送信する、（３）文字部と図部の双方を送信する、を含む
ことを特徴とする請求項１に記載の画像送信装置。
【請求項３】
前記制御部は、前記返信で指定された選択肢に対応する送信方法で前記携帯端末へ前記画像を送信する場合に、文字部は文字コードで、図部はＪＰＥＧ形式の画像ファイルに変換して送信する
ことを特徴とする請求項１または２に記載の画像送信装置。
【請求項４】
携帯端末と、画像送信装置とが通信可能に接続される画像送信システムにおいて、
前記画像送信装置は、送信対象の画像が文字部と図部の混在する画像でありかつその送信先が携帯端末である場合は、前記文字部の概要を文字コードで表した概要情報と送信方法の選択肢とを含む案内通知を作成して前記携帯端末へ送信し、
前記案内通知を受信した前記携帯端末は、前記概要情報と前記選択肢とを表示すると共に前記選択肢の選択操作を受け付け、その選択結果を前記画像送信装置へ送信し、
前記選択結果を受信した前記画像送信装置は、その選択結果の示す選択肢に対応する送信方法で前記画像を前記携帯端末へ送信する
ことを特徴とする画像送信装置。
【請求項５】
前記送信方法の選択肢として、（１）文字部のみを送信する、（２）図部のみを送信する、（３）文字部と図部の双方を送信する、を含む
ことを特徴とする請求項４に記載の画像送信システム。
【請求項６】
前記画像送信装置は、前記選択結果の示す選択肢に対応する送信方法で前記携帯端末へ前記画像を送信する場合に、文字部は文字コードで、図部はＪＰＥＧ形式の画像ファイルに変換して送信する
ことを特徴とする請求項４または５に記載の画像送信システム。
【発明の詳細な説明】
【技術分野】
【０００１】
本発明は、携帯端末へ画像を送信する画像送信装置および画像送信システムに関する。
【背景技術】
【０００２】
携帯電話などの携帯端末では、搭載されているアプリケーションソフトが限られていることや表示画面が小さいなどの要因から、受信した電子メールの添付ファイルを適切に表示できない場合がある。
【０００３】
そこで、添付ファイル付き電子メールを受信したメールサーバが送信先の携帯端末に添付ファイルがあったことを通知し、携帯端末を使用するユーザが自己のユーザＩＤをプリンタに入力すると、そのプリンタがその入力されたユーザＩＤに対応する添付ファイルをメールサーバから転送させて印刷するシステムが提案されている（たとえば、特許文献１参照。）。
【０００４】
また、送信先がＨＴＭＬ（Hyper Text Markup Language）形式に対応可能か否かを送信先のドメイン名に基づいて自動判別し、対応可能な場合は重要部分を強調表示可能なＨＴＭＬ形式でメッセージを送信し、非対応の場合はメッセージをテキスト形式で送信する技術がある（たとえば、特許文献２参照。）。
また、サイズの大きい画像ファイルは受信側の負担になる場合があるので、送信する画像ファイルのサイズが大きい場合は、画像の属性情報やプレビュー情報を通知して相手端末からその画像の送信方法（解像度、送信対象ページ、分割送信の有無など）に関する指示を受け取り、その指示に従って画像を編集して送信する画像データ送信装置がある（たとえば、特許文献３参照。）。
【０００５】
【特許文献１】特開２００２−４１４２２号公報
【特許文献２】特開２００２−１５７１９６号公報
【特許文献３】特開２００６−３１４０２１号公報
【発明の開示】
【発明が解決しようとする課題】
【０００６】
特許文献２の技術では、受信側の能力に応じて文字の送信をより適切に行うことができる。また、特許文献３では、受信側の指示した解像度やページのみを選択して画像ファイルの送信を行うことができる。
【０００７】
しかしながら、送信対象の画像には文字と図の混在するものがあり、かかる混在画像の送信にも適切に対応する必要がある。文字と図の混在画像は、ＴＩＦＦ（Tagged Image File Format）形式やＪＰＥＧ(Joint Photographic Experts Group)形式の画像ファイルに変換して携帯電話等の携帯端末へ送信すれば、ほとんどの携帯端末で表示することはできる。しかし、携帯端末の表示画面は小さいので、文字と図の混在画像を表示する場合にその画像全体を表示させると、文字が小さくなって読み難くなってしまう。一方、部分拡大で表示すると、文章の全体像を把握し難くなるという問題があった。
【０００８】
特許文献１の技術では、添付ファイルを印刷出力するので、文字と図の混在画像であっても見やすい状態で出力できるが、印刷しなければ確認できないので不便である。
【０００９】
また、受信者においては、混在画像のうち文字は不要であったり、図は不要であったりすることもあり、不要な部分のデータ量が大きい場合には、その受信が負担になることもあった。
【００１０】
本発明は、上記の問題を解決しようとするものであり、文字と図の混在する画像を受信者のニーズに応じた方法で携帯端末へ送信することのできる画像送信装置および画像送信システムを提供することを目的としている。
【課題を解決するための手段】
【００１１】
かかる目的を達成するための本発明の要旨とするところは、次の各項の発明に存する。
【００１２】
［１］送信対象の画像を入力する画像入力部と、
前記画像入力部から入力された画像の送信先を入力する宛先入力部と、
通信部と、
制御部と、
を備え、
前記制御部は、前記画像入力部から入力した画像が文字部と図部の混在する画像でありかつその送信先が携帯端末である場合は、前記文字部の概要を文字コードで表した概要情報と送信方法の選択肢とを含む案内通知を作成して前記携帯端末へ送信し、前記案内通知に対する返信を前記携帯端末から受信すると、該返信で指定された選択肢に対応する送信方法で前記画像を前記携帯端末へ送信する
こと特徴とする画像送信装置。
【００１３】
上記発明では、文字と図の混在画像を携帯端末へ送信する場合は、文字部の概要を文字コード（テキストコード）で表した概要情報と、（１）図のみ送信する（２）文字のみ送信する（３）文字と図の双方を送信するといった送信方法の選択肢とを含む案内通知を携帯端末に送信し、その返信で指定された選択肢に対応する方法で送信対象の画像を携帯端末へ送信する。概要情報は文字コード化されているので携帯端末の機種を問わずに表示できる。また、受信者（携帯端末のユーザ）は概要情報に基づいて送信対象の画像の内容を推定でき、その推定に応じて送信方法を選択することができる。
【００１４】
［２］前記送信方法の選択肢として、（１）文字部のみを送信する、（２）図部のみを送信する、（３）文字部と図部の双方を送信する、を含む
ことを特徴とする［１］に記載の画像送信装置。
【００１５】
［３］前記制御部は、前記返信で指定された選択肢に対応する送信方法で前記携帯端末へ前記画像を送信する場合に、文字部は文字コードで、図部はＪＰＥＧ形式の画像ファイルに変換して送信する
ことを特徴とする［１］または［２］に記載の画像送信装置。
【００１６】
上記発明では、文字部は文字コードにして送信するので携帯端末において適当なサイズで表示することができる。またＪＰＥＧを表示可能な携帯端末は広く普及している。
【００１７】
［４］携帯端末と、画像送信装置とが通信可能に接続される画像送信システムにおいて、
前記画像送信装置は、送信対象の画像が文字部と図部の混在する画像でありかつその送信先が携帯端末である場合は、前記文字部の概要を文字コードで表した概要情報と送信方法の選択肢とを含む案内通知を作成して前記携帯端末へ送信し、
前記案内通知を受信した前記携帯端末は、前記概要情報と前記選択肢とを表示すると共に前記選択肢の選択操作を受け付け、その選択結果を前記画像送信装置へ送信し、
前記選択結果を受信した前記画像送信装置は、その選択結果の示す選択肢に対応する送信方法で前記画像を前記携帯端末へ送信する
ことを特徴とする画像送信装置。
【００１８】
［５］前記送信方法の選択肢として、（１）文字部のみを送信する、（２）図部のみを送信する、（３）文字部と図部の双方を送信する、を含む
ことを特徴とする［４］に記載の画像送信システム。
【００１９】
［６］前記画像送信装置は、前記選択結果の示す選択肢に対応する送信方法で前記携帯端末へ前記画像を送信する場合に、文字部は文字コードで、図部はＪＰＥＧ形式の画像ファイルに変換して送信する
ことを特徴とする［４］または［５］に記載の画像送信システム。
【発明の効果】
【００２０】
本発明に係る画像送信装置および画像送信システムによれば、送信対象の画像が文字と図の混在する混在画像であって送信先が携帯端末の場合は、その文字部分の概要と該混在画像の送信方法の選択肢を受信者に通知し、その返信で指定された選択肢に対応する送信方法で混在画像を送信するので、受信側の要望に応じた送信方法で混在画像を携帯端末に送信することができる。また、文字部分の概要を通知するので、受信者は該概要から混在画像の内容を判断して送信方法を選択することができる。
【発明を実施するための最良の形態】
【００２１】
以下、図面に基づき本発明の各種実施の形態を説明する。
【００２２】
図１は、本発明の第１の実施の形態に係る画像送信システム５のシステム構成を示している。画像送信システム５は、画像形成装置１０と、サーバ３０と、携帯端末５０とをＬＡＮ（Local Area Network）や無線の公衆電話網などのネットワークを通じて通信可能に接続して構成される。
【００２３】
画像形成装置１０は、原稿画像を光学的に読み取ってその複製画像を記録紙に印刷するコピー機能、読み取った原稿画像をパーソナルコンピュータや携帯端末５０などの外部端末へ電子メール等で送信するスキャン送信機能、外部端末から受信した印刷データに基づいてラスタライズした画像を記録紙に印刷して出力するプリンタ機能などを備えた、所謂、複合機として構成されている。
【００２４】
サーバ３０は、電子メールの配信・中継などを行う。携帯端末５０は、電子メールの送受信が可能な携帯型の情報処理端末であり、たとえば、携帯電話機を使用することができる。
【００２５】
画像送信システム５では、画像形成装置１０からサーバ３０を介して携帯端末５０へ各種の原稿が送信される。送信対象の原稿には図２に例示するように、文字が一部にだけ記載されて他は空白となっているメモ原稿６１、ほぼ一面に文字のみ記載された文字原稿６２、文字部と図部とが混在した混在原稿６３、図部のみ記載された図原稿６４などがある。
【００２６】
画像形成装置１０は、送信対象の原稿（画像）が文字部と図、写真、グラフなどの図部との混在する混在原稿（混在画像）でありかつその送信先が携帯端末５０の場合は、文字部の概要を文字コードで表した概要情報と、文字のみ送信するか文字と図の双方を送信するか図のみを送信するかといった送信方法の選択肢（送信方法リスト）とを含む案内通知の電子メールを作成し、該案内通知をサーバ３０を介して携帯端末５０へ送信して（図１；Ｐ１、Ｐ２）、受信者の希望する送信方法を問い合わせする。
【００２７】
携帯端末５０のユーザは案内通知に記載されている概要情報から送信予定の画像の内容を判断し、送信方法リストに列挙された選択肢の中から自分の希望する送信方法を選択し、その選択結果を示す返信を携帯端末５０からサーバ３０を介して画像形成装置１０へ送信する（Ｐ３、Ｐ４）。該返信を受信した画像形成装置１０は、その返信で指定された選択肢に対応する送信方法で送信対象の画像を携帯端末５０へ送信する（Ｐ５、Ｐ６）。このようにして画像送信システム５では、文字と図の混在する画像を受信者のニーズにあった送信方法で画像形成装置１０から携帯端末５０へ送信することを可能にしている。
【００２８】
画像送信システム５では、サーバ３０は電子メールの配信・中継を行うものであり、画像送信装置としての機能は画像形成装置１０が果たしている。なお、サーバ３０を設けずに、画像形成装置１０と携帯端末５０との間の電子メールの送受信を、サーバ３０を介さずに行うように構成されてもよい。
【００２９】
図３は、画像形成装置１０の概略構成を示している。画像形成装置１０は、当該画像形成装置１０の動作を統括制御するＣＰＵ（Central Processing Unit）１１に、ＲＯＭ（Read Only Memory）１２と、ＲＡＭ（Random Access Memory）１３と、不揮発メモリ１４と、画像読取部１５と、画像処理部１６と、画像形成部１７と、表示部１８と、操作部１９と、ネットワーク接続部２１と、ハードディスク装置２２とを接続して構成される。
【００３０】
ＲＯＭ１２には各種のプログラムが格納されており、これらのプログラムに従ってＣＰＵ１１が処理を実行することにより画像形成装置１０としての各機能が実現される。ＲＡＭ１３はＣＰＵ１１がプログラムを実行する際に各種のデータを一時的に格納するワークメモリや画像データを格納する画像メモリとして使用されるランダム・アクセス・メモリである。
【００３１】
不揮発メモリ１４には、ユーザ情報や使用度数を示すカウンタなど電源がオフしても保存しておくべき各種の情報が記憶される。たとえば、ユーザ情報として、各ユーザを一意に特定するユーザＩＤ、ユーザ認証に使用されるパスワード、そのユーザの電子メールアドレスなどが登録される。
【００３２】
画像読取部１５は、原稿を光学的に読み取って画像データを取得する機能を果たす。画像読取部１５は、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００３３】
画像処理部１６は、印刷データをイメージデータに変換するラスタライズ処理、画像データを圧縮して暗号化する圧縮暗号化処理、圧縮暗号化された画像データの復号化および伸張を行う復元復号化処理、画像の回転処理などを行う。
【００３４】
画像形成部１７は、入力される画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の画像形成方式のプリンタであっても構わない。
【００３５】
表示部１８は、各種の操作画面や設定画面、選択画面、案内画面などを表示する機能を果たし、液晶ディスプレイ（ＬＣＤ…Liquid Crystal Display）などで構成される。操作部１９は、表示部１８の画面上に敷設されて押下された座標位置を検出するタッチパネルやテンキーやスタートボタンなど各種操作スイッチなどで構成され、ユーザから送信先の入力操作など各種の操作を受け付ける機能を果たす。
【００３６】
ネットワーク接続部２１は、ＬＡＮやインターネットなどのネットワークと接続してネットワーク上のサーバ３０やパーソナルコンピュータなど各種の装置と通信する機能を果たす。
【００３７】
ハードディスク装置２２は、大容量・不揮発の記憶装置であり、画像読取部１５で読み取った画像データや送信した電子メールの複製などが保存される。
【００３８】
図４は、携帯端末５０の概略構成を示している。携帯端末５０は、当該携帯端末５０の動作を統括制御する制御部としての機能を果たすＣＰＵ５１を備えている。ＣＰＵ５１にはバス５２を通じてプログラムメモリ５３と、システムメモリ５４と、表示部５５と、操作部５６と、通信部５７などが接続されている。
【００３９】
プログラムメモリ５３はプログラムを格納し、このプログラムに従ってＣＰＵ５１が各種の処理を実行する。システムメモリ５４はＣＰＵ５１がプログラムを実行する際に各種のデータを一時的に格納するワークメモリなどとして使用されるＲＡＭである。表示部５５は、液晶ディスプレイなどの表示装置で構成され、受信した電子メールの内容などが表示される。操作部５６は各種の操作スイッチやテンキーなどで構成され、ユーザから送信方法に関する選択肢の選択操作や電子メール本文の作成操作など各種の操作を受け付ける。通信部５７は、無線の公衆電話網やインターネットなどのネットワークを通じてサーバ３０などと通信する機能を果たす。
【００４０】
次に、原稿の送信に関する画像形成装置１０の動作を説明する。
【００４１】
図５は、原稿の送信時に画像形成装置１０が行う動作の流れを示している。まず、操作部１９を通じてユーザから送信先のアドレスの入力を受ける（ステップＳ１０１）。続いてスタートボタンが操作されたら、送信ジョブを生成し、当該送信ジョブに固有のジョブ番号を割り振ると共に、原稿台にセットされている送信対象の原稿の画像を画像読取部１５にて読み取り（ステップＳ１０２）、その読み取った画像とジョブ情報とを対応付けてＲＡＭ１３およびハードディスク装置２２に記憶する（ステップＳ１０３）。ジョブ情報には、先に割り当てた当該ジョブのジョブ番号、ステップＳ１０１で指定された送信先のアドレス（電子メールアドレス）、送信原稿の枚数、サイズなどが含まれる。
【００４２】
ＣＰＵ１１は、ＲＡＭ１３に記憶させた送信対象の原稿の画像７１を画像解析し、図６に示すように、文字部７２と図部７３を検出する（ステップＳ１０４）。たとえば、文字部の検出は、周知の文字認識処理により行う。また、検出された文字部を除く残りの領域のうち空白領域でない領域を図部として検出する。文字部や図部の検出方法は他の任意方法でもよい。
【００４３】
送信対象の画像に文字部が存在しない場合は（ステップＳ１０５；Ｎｏ）、ＲＡＭ１３に保存されている送信対象の原稿の画像を、たとえば、ＰＤＦ形式のファイルにし、該ファイルを添付ファイルとする電子メールをステップＳ１０１で指定された送信先へ送信して（ステップＳ１１０）処理を終了する（エンド）。
【００４４】
送信対象の原稿の画像に文字部が存在する場合は（ステップＳ１０５；Ｙｅｓ）、指定されている送信先が携帯端末か否かを判断する（ステップＳ１０６）。たとえば、送信先に指定された電子メールアドレスのドメイン名が予め定めたものである場合は、携帯端末であると判断する。
【００４５】
送信先が携帯端末でない場合は（ステップＳ１０６；Ｎｏ）、文字部の文字数が２００文字以下か否かを判別し（ステップＳ１０７）、２００文字を超える場合は、ＲＡＭ１３に保存されている送信対象の原稿の画像を、たとえば、ＰＤＦ形式のファイルにし、該ファイルを添付ファイルとする電子メールをステップＳ１０１で指定された送信先へ送信して（ステップＳ１１０）処理を終了する（エンド）。
【００４６】
２００文字以下の場合は（ステップＳ１０７；Ｙｅｓ）、文字部を文字コード（テキストコード）に変換し（ステップＳ１０９）、該文字コードによる文章を本文とし、かつＲＡＭ１３に保存されている送信対象の原稿の画像を、たとえば、ＰＤＦ形式にしたファイルを添付ファイルとする電子メールを作成して、該電子メールをステップＳ１０１で指定された送信先へ送信して（ステップＳ１１０）処理を終了する（エンド）。
【００４７】
送信先が携帯端末である場合は（ステップＳ１０６；Ｙｅｓ）、送信対象の原稿の画像に図部が含まれているか否かを判断し（ステップＳ１０８）、図部が含まれていない場合は（ステップＳ１０８；Ｎｏ）、文字のみの画像なので、文字部を文字コード（テキストコード）に変換する（ステップＳ１０９）。そして、該文字コードによる文章を本文とする電子メールを作成し、該電子メールをステップＳ１０１で指定された送信先へ送信して（ステップＳ１１０）処理を終了する（エンド）。
【００４８】
図部が含まれている場合は（ステップＳ１０８；Ｙｅｓ）、文字部に含まれる各文字を文字認識処理によって認識して文字コード（テキストコード）に変換し、文字部の内容を文字コード（テキストコード）で表した文章データ７４を作成し（図６参照）、さらに図部を、たとえばＪＥＰＧ形式に変換した画像ファイル７５を生成し（ステップＳ１１１）、これらを当該送信ジョブのジョブ番号と対応付けてハードディスク装置２２に記憶する。
【００４９】
次に、文字部の文字コード（テキストコード）から文字部の文章の概要を示す文（概要情報７６）を作成する（ステップＳ１１２）。概要情報７６は、文字部として検出された文字コード群（文章データ７４）の先頭から所定の文字数（たとえば、１５０文字）を抜き出して生成する。あるいは文字部の文章内容を解析してその要約を生成し、該要約を概要情報７６としてもよく、文字部の概要を示す文であれば、任意の方法で生成されてよい。概要情報７６は文字コードで構成される。概要情報７６もジョブ番号に関連付けてハードディスク装置２２に記憶する。
【００５０】
次に、送信方法の選択肢に番号を付けて一覧にした送信方法リスト７７（図６参照）を作成し（ステップＳ１１３）、この送信方法リスト７７と概要情報７６とを本文に埋め込み、当該送信ジョブのジョブ番号を件名（図６の例では、ジョブ番号＝１１１０００）とする電子メール７８を案内通知として作成し、該案内通知の電子メール７８をステップＳ１０１で指定された送信先へ送信する（ステップＳ１１４）。
【００５１】
ここでは、送信方法として送信番号（１）〜（４）の選択肢を設けてある、詳細には、（１）文字のみテキストで受信、（２）図（画像）のみ添付ファイルで受信、（３）図（画像）は添付、文字はテキストで受信、（４）図（画像）を添付、先頭２００文字をテキストで受信、である。このほかの選択肢、たとえば、図（画像）のファイル形式に関する選択肢を設けてもよい。
【００５２】
画像形成装置１０は、案内通知の電子メール７８の送信後、これに対する返信の受信を待機し（ステップＳ１１５）、１日経過しても返信が来ない場合は（ステップＳ１１６；Ｙｅｓ）、当該ジョブ番号のジョブを削除して（ステップＳ１１８）処理を終了する（エンド）。具体的には、ハードディスク装置２２に保存されている、当該ジョブ番号のジョブ情報、該ジョブ番号に関連付けされている画像データ（文章データ７４、概要情報７６、画像ファイル７５）などを削除する。
【００５３】
１日経過前に案内通知の電子メール７８に対する返信を携帯端末から受信した場合は（ステップＳ１１５；Ｙｅｓ）、その返信の電子メールで指定された選択肢（送信番号）に対応する送信方法で画像を携帯端末へ送信する送信処理を行って（ステップＳ１１７）処理を終了する（エンド）。
【００５４】
図７は、図５のステップＳ１１７に示した送信処理の詳細を示している。ＣＰＵ１１は、受信した返信の本文から送信番号を確認し、件名からジョブ番号を確認する（ステップＳ１５１）。
【００５５】
確認された送信番号が（１）ならば（ステップＳ１５２；Ｙｅｓ）、確認されたジョブ番号に関連付けて記憶されている文章データ７４（文字部を文字コード（テキストデータ）で表したデータのみ）を本文とする電子メールを、確認されたジョブ番号に対応付けて記憶されているジョブ情報が示す送信先へ送信する（ステップＳ１５３）。
【００５６】
確認された送信番号が（２）ならば（ステップＳ１５４；Ｙｅｓ）、確認されたジョブ番号に関連付けて記憶されている画像ファイル７５（図部のＪＰＥＧファイルのみ）を添付ファイルとする電子メールを、確認されたジョブ番号に対応付けて記憶されているジョブ情報が示す送信先へ送信する（ステップＳ１５５）。
【００５７】
確認された送信番号が（３）ならば（ステップＳ１５６；Ｙｅｓ）、確認されたジョブ番号に関連付けて記憶されている文章データ７４（文字部を文字コード（テキストデータ）で表したデータ）を本文とし、かつ確認されたジョブ番号に関連付けて記憶されている画像ファイル７５（図部のＪＰＥＧファイル）を添付ファイルとする電子メールを、確認されたジョブ番号に対応付けて記憶されているジョブ情報が示す送信先へ送信する（ステップＳ１５７）。
【００５８】
確認された送信番号が（４）ならば（ステップＳ１５６；Ｎｏ）、確認されたジョブ番号に関連付けて記憶されている文章データ７４の先頭から２００文字分の文字コードを本文とし、かつ確認されたジョブ番号に関連付けて記憶されている画像ファイル７５（図部のＪＰＥＧファイル）を添付ファイルとする電子メールを、確認されたジョブ番号に対応付けて記憶されているジョブ情報が示す送信先へ送信する（ステップＳ１５８）。
【００５９】
図８は、携帯端末５０が行う処理の流れを示している。画像形成装置１０からサーバ３０を介して案内通知の電子メール７８を受信すると（ステップＳ２０１）、その受信した案内通知の内容を表示部５５に表示する（ステップＳ２０２）。ここで、操作部５６から送信番号の選択操作を受け付けた場合は（ステップＳ２０３；Ｙｅｓ）、該案内通知に対する返信の電子メールであって選択された送信番号を本文の内容とする電子メールを作成して該案内通知の送信元へ送信する（ステップＳ２０４）。送信番号の選択を受ける前に案内通知の表示画面を閉じる操作を受けた場合は（ステップＳ２０５；Ｙｅｓ）該表示画面を閉じて処理を終了する（エンド）。
【００６０】
図９（ａ）は、携帯端末５０の表示部５５に表示された案内通知８１を、図９（ｂ）は送信番号「３」が選択された場合の返信の電子メールの内容８２を例示している。なお、案内通知の電子メールに対する返信の電子メール（特に本文）を携帯端末５０のユーザが自分で作成し返信してもかまわない。すなわち、受信者が案内通知に対して返信釦を押し、本文として送信番号を入力し、送信ボタンを押すといった操作を行うように構成されてもよい。
【００６１】
このように、画像送信システム５では、送信対象の原稿（画像）が文字と図との混在画像）でありかつ送信先が携帯端末５０の場合は、文字部の概要を文字コードで表した概要情報と送信方法リストとを含む案内通知の電子メールを携帯端末５０へ送信し、その返信にて指定された送信方法で送信対象の画像を携帯端末５０へ送信するので、文字と図の混在する画像を受信者のニーズにあった送信方法で携帯端末５０へ送信することができる。また、文字部分の概要情報を案内通知に含めたので、受信者はその概要情報から混在画像の内容を判断して送信方法を的確に選択することができる。
【００６２】
次に、第２の実施の形態を説明する。図１０は本発明の第２の実施の形態に係る画像送信システム５Ｂのシステム構成を示している。第１の実施の形態ではサーバ３０は、単に電子メールの配信・中継を行っていたが、第２の実施の形態のサーバ３０Ｂは、案内通知の作成や携帯端末５０からの返信で指定された送信方法で画像を送信する送信処理などを実行するようになっている。
【００６３】
携帯端末５０は第１の実施の形態と同一である。また画像形成装置１０Ｂのハードウェア構成は第１の実施の形態の画像形成装置１０と同様であり、その説明は省略する。
【００６４】
画像形成装置１０Ｂは、操作部１９を通じてユーザから送信先の入力を受け、スタートボタンが操作されたら、原稿台にセットされている送信対象の原稿の画像を画像読取部１５にて読み取り、この読み取った画像を添付ファイルとし宛先を先に入力された送信先とする電子メールを作成して電子メールの配信機能を備えたサーバ３０Ｂに送信する（Ｐ２１）。
【００６５】
サーバ３０Ｂは、画像形成装置１０Ｂから受信した電子メールの添付ファイルの画像を解析する。該画像が文字と図との混在画像でありかつその送信先が携帯端末５０の場合は、文字部の概要を文字コードで表した概要情報と送信方法リストとジョブ番号とを含む案内通知の電子メールを作成して携帯端末５０へ送信し（Ｐ２２）、受信者の希望する送信方法を問い合わせする。なお、送信先が携帯端末か否かは送信先のアドレスのドメイン名から判断する。
【００６６】
携帯端末５０のユーザは案内通知に記載されている概要情報から送信予定の画像の内容を判断し、送信方法リストに列挙された選択肢の中から自分の希望する送信方法を選択し、その選択内容を示す返信を携帯端末５０からサーバ３０Ｂへ送信する（Ｐ２３）。該返信を受信したサーバ３０Ｂは、その返信で指定された選択肢に対応する送信方法で送信対象の画像を携帯端末５０へ送信する（Ｐ２４）。これにより、文字と図の混在画像を受信者のニーズにあった送信方法で携帯端末５０へ送信することを可能にしている。
【００６７】
図１１は、サーバ３０Ｂの概略構成を示している。サーバ３０Ｂは、当該サーバ３０Ｂの動作を統括制御する制御部としての機能を果たすＣＰＵ３１にバス３２を通じてプログラムメモリ３３と、システムメモリ３４と、表示部３５と、操作部３６と、通信部３７と、ハードディスク装置３８とを接続して構成される。
【００６８】
プログラムメモリ３３はプログラムを格納し、このプログラムに従ってＣＰＵ３１が各種の処理を実行する。システムメモリ３４はＣＰＵ３１がプログラムを実行する際に各種のデータを一時的に格納するワークメモリなどとして使用されるＲＡＭである。
【００６９】
表示部３５は、液晶ディスプレイなどの表示装置で構成される。操作部３６はキーボード、マウスなどで構成される。通信部３７は、無線の公衆電話網やインターネットなどのネットワークを通じて画像形成装置１０Ｂや携帯端末５０と通信する機能を果たす。ハードディスク装置３８は、大容量で不揮発の記憶装置であり、画像形成装置１０Ｂから受信した電子メールの記憶、この電子メールに関する送信ジョブに関するジョブ情報、文章データ７４、画像ファイル７５などの記憶に使用される。
【００７０】
図１２は、サーバ３０Ｂが行う処理の流れを示している。画像の添付ファイルを有する電子メールを画像形成装置１０Ｂから受信すると（ステップＳ３０１）、その受信した電子メールをハードディスク装置３８に保存すると共にその添付ファイルの画像をシステムメモリ３４に保存する（ステップＳ３０２）。ＣＰＵ３１はシステムメモリ３４に保存した添付ファイルの画像を解析して文字部と図部とを検出する（ステップＳ３０３）。以後のステップＳ３０５からＳ３１８までの処理は、図５のステップＳ１０５からＳ１１８の処理（百の位の「３」を「１」とする各ステップ）に対応しており、その説明は省略する。
【００７１】
なお、ステップＳ３１９では、依頼された送信先へ電子メールを正常に送信できなかった旨の不達通知を画像形成装置１０Ｂへ送信する。
【００７２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７３】
たとえば、送信方法の選択肢は実施の形態で例示したものに限定されない。
【００７４】
実施の形態では画像読取部１５で読み取った画像を送信対象としたが、送信対象の画像の入力方法はこれに限定されず、たとえば、画像形成装置１０、１０ＢがＰＣからネットワーク接続部２１を通じて受信した画像データなどでもかまわない。
【図面の簡単な説明】
【００７５】
【図１】本発明の第１の実施の形態に係る画像送信システムのシステム構成を示す説明図である。
【図２】各種の送信対象の原稿を例示した説明図である。
【図３】画像形成装置の概略構成を示すブロック図である。
【図４】携帯端末の概略構成を示すブロック図である。
【図５】本発明の第１の実施の形態に係る画像形成装置の原稿の送信時の動作を示す流れ図である。
【図６】送信原稿から案内通知が生成される過程を例示した説明図である。
【図７】送信処理を示す流れ図である。
【図８】携帯端末が行う処理を示す流れ図である。
【図９】携帯端末の表示部に表示された案内通知とその返信の一例を示す説明図である。
【図１０】本発明の第２の実施の形態に係る画像送信システムのシステム構成を示す説明図である。
【図１１】第２の実施の形態に係るサーバの概略構成を示すブロック図である。
【図１２】第２の実施の形態に係るサーバが行う処理を示す流れ図である。
【符号の説明】
【００７６】
５、５Ｂ…画像送信システム
１０、１０Ｂ…画像形成装置
１１…ＣＰＵ
１２…ＲＯＭ
１３…ＲＡＭ
１４…不揮発メモリ
１５…画像読取部
１６…画像処理部
１７…画像形成部
１８…表示部
１９…操作部
２１…ネットワーク接続部
２２…ハードディスク装置
３０、３０Ｂ…サーバ
３１…ＣＰＵ
３２…バス
３３…プログラムメモリ
３４…システムメモリ
３５…表示部
３６…操作部
３７…通信部
３８…ハードディスク装置
５０…携帯端末
５１…ＣＰＵ
５２…バス
５３…プログラムメモリ
５４…システムメモリ
５５…表示部
５６…操作部
５７…通信部
７１…原稿の画像
７２…文字部
７３…図部
７４…文章データ
７５…画像ファイル
７６…概要情報
７７…送信方法リスト
７８…案内通知の電子メール
８１…案内通知
８２…返信の電子メールの内容
【図１】
2009273076.tif 000003
【図２】
2009273076.tif 000004
【図３】
2009273076.tif 000005
【図４】
2009273076.tif 000006
【図５】
2009273076.tif 000007
【図６】
2009273076.tif 000008
【図７】
2009273076.tif 000009
【図８】
2009273076.tif 000010
【図９】
2009273076.tif 000011
【図１０】
2009273076.tif 000012
【図１１】
2009273076.tif 000013
【図１２】
2009273076.tif 000014